(57)【要約】【課題】ユーザの使い勝手を向上させることができる簡易機能起動システムを提供することである。【解決手段】本発明による簡易機能起動システムは、ユーザが機能を起動する際に、起動した回数を参照し、その回数が一定回数を超えた場合、機能をメニュー一覧へ自動登録し、独自のメニューを自動作成する。【選択図】図１
2009211507.tif 000002
【特許請求の範囲】
【請求項１】
情報表示装置と、ユーザが機能を起動した情報を履歴として格納する履歴情報管理装置と、前記履歴情報管理装置内のユーザが機能を起動した回数を元に機能を登録する登録情報管理装置とを有し、前記情報表示装置が、前記登録情報管理装置の登録内容に基づいた表示を行うことを特徴とする簡易機能起動システム。
【請求項２】
情報表示装置と、ユーザが機能を起動した情報を履歴として格納する履歴情報管理装置と、前記履歴情報管理装置内のユーザが機能を起動した最新使用日時、使用回数を元に機能を登録する登録情報管理装置とを有し、前記情報表示装置が前記登録情報管理装置の登録内容に基づいた表示を行うことを特徴とする簡易機能起動システム。
【請求項３】
前記登録情報管理装置が、登録情報の最新使用日時と現在時刻とを比較し、比較結果に応じて登録情報内の該当情報を削除することを特徴とする請求項１または２に記載の簡易機能起動システム。
【請求項４】
前記履歴情報管理装置が、所定の機能とその次に使用した機能との組み合わせの履歴に関する組み合わせ情報を格納することを特徴とする請求項１、２または３に記載の簡易機能起動システム。
【請求項５】
前記情報表示装置が、前記履歴情報管理装置内の組み合わせ情報に基づいた表示を行うことを特徴とする請求項４に記載の簡易機能起動システム。
【請求項６】
請求項１ないし５のうちのいずれか１項に記載の簡易機能起動システムを有することを特徴とする携帯端末装置。
【発明の詳細な説明】
【技術分野】
【０００１】
本発明は簡易機能起動システムに関し、たとえば携帯電話機等の端末装置において提供される機能を簡易に起動可能な簡易機能起動システムに関する。
【背景技術】
【０００２】
最近では携帯電話機等の端末装置の普及が目覚ましく、また、端末装置において様々な機能が提供される多機能化が進んでいる。
【０００３】
このように多機能化されると、ユーザ個々において利用する機能、利用しない機能が分かれてくるが、従来は、ユーザ個々に機能の選別をするためには、ユーザそれぞれで設定する必要があり、ユーザによる手続きが面倒であるという問題があった。すなわち、ユーザが機能を探し、該当機能をショートカット登録や、自分でオリジナルメニュー登録を行う機能はあるが、手間がかかり、使い勝手の悪いものであった。
【０００４】
特許文献１に記載の発明では、メニューに表示される機能の一覧において、たとえば各機能の使用回数に基づいて表示の際の配置を変更するようにしている。
【０００５】
【特許文献１】特開２００６−２４４１５５号公報
【発明の開示】
【発明が解決しようとする課題】
【０００６】
しかしながら、上述の従来技術であっても、さらなるユーザの使い勝手を向上させる必要があった。
【０００７】
本発明は上記の点にかんがみてなされたもので、ユーザの使い勝手を向上させることができる簡易機能起動システムを提供することを目的とする。
【課題を解決するための手段】
【０００８】
上記課題を解決するにあたり、本発明による簡易機能起動システムは、ユーザが機能を起動する際に、起動した回数を参照し、その回数が一定回数を超えた場合、機能をメニュー一覧へ自動登録し、独自のメニューを自動作成する。
【０００９】
また、本発明は、ユーザが機能を起動した時間からある程度時間たっても機能を使用していない場合、追加したユーザの機能が自動削除され、ユーザ使用頻度を元にしたメニュー一覧を作成する。
【００１０】
さらに、本発明は、ユーザの機能を使用した組み合わせ（たとえば、メールを使用した後にカメラを使用、音楽プレイヤーを使用した後にＷＥＢを使用）も履歴情報として覚えておき、ユーザがある機能を起動した際に、ユーザが使うであろう機能を表示させ、ユーザの選択手順を削減することを特徴としている。
【発明の効果】
【００１１】
本発明によれば、起動した回数を参照し、その回数が一定回数を超えた場合、機能登録を自動で行い、また、最後の起動時間から現在の時刻がある一定時間を超えると追加したユーザの機能が自動削除され、ユーザの使用頻度を元にしたメニュー一覧を作成が可能である。
【００１２】
さらに、ユーザの機能を使用した組み合わせ（たとえば、メールからカメラ、音楽プレイヤーからＷＥＢ）も履歴情報として覚えておき、ユーザがある機能を起動した際に、次にユーザが使うであろう機能を表示させ、ユーザの選択手順を削減することが可能である。
【発明を実施するための最良の形態】
【００１３】
本発明による簡易機能起動システムは、ユーザが機能を起動する際に、起動した回数を参照し、その回数が一定回数を超えた場合、機能をメニュー一覧へ自動登録し、独自のメニューを自動作成する。また、ユーザが機能を起動した時間からある程度時間たっても機能を使用していない場合、追加したユーザの機能が自動削除され、ユーザ使用頻度を元にしたメニュー一覧を作成する。
【００１４】
さらにユーザの機能を使用した組み合わせ（たとえば、メールを使用した後にカメラを使用、音楽プレイヤーを使用した後にＷＥＢを使用）も履歴情報として覚えておき、ユーザがある機能を起動した際に、ユーザが使うであろう機能を表示させ、ユーザの選択手順を削減することを特徴としている。
【００１５】
以下、本発明の実施の形態について図面を参照して詳細に説明する。
【００１６】
図１は、本発明の簡易機能起動システムの一実施の形態の構成を示すブロック図である。
【００１７】
図１に示すように、本発明の簡易機能起動システムは、携帯端末装置（１０）内にある、情報表示装置（２０）と、ユーザが機能を起動した情報を履歴として格納する履歴情報管理装置（３０）と、ユーザが機能を起動した回数を元に機能を登録する登録情報管理装置（４０）とを有して構成されている。
【００１８】
本発明の簡易機能起動システムは、ユーザが機能を起動した際に、機能履歴を履歴情報管理装置（３０）にて登録し、その後、ユーザによる使用回数がある一定回数越えた機能を登録情報管理装置（４０）にて登録する。また、一定時間起動していない機能については、登録情報管理装置（４０）にて登録情報から削除し、ユーザの使い勝手の良いメニュー構成にすることを特徴としている。
【００１９】
また、ユーザの機能を使用した組み合わせ（たとえば、メールを使用した後にカメラを使用、音楽プレイヤーを使用した後にＷＥＢを使用）も履歴情報として覚えておき、ユーザがある機能を起動した際に、ユーザが使うであろう機能を表示させ、ユーザの選択手順を削減することを特徴としている。
【実施例１】
【００２０】
［実施例の構成］
図１に示すように、本発明の簡易機能起動システムは、携帯端末装置（１０）内にある、情報表示装置（２０）と、ユーザが機能を起動した情報を履歴として格納する履歴情報管理装置（３０）と、ユーザが機能を起動した回数を元に機能を登録する登録情報管理装置（４０）とを有して構成されている。
【００２１】
図２は、図１に示した情報表示装置（２０）に表示される画面の一例を示す図である。
【００２２】
携帯端末装置（１０）内にある情報表示装置（２０）にて表示されている画面については、図２に示すように、呼び出す機能を選択するメインエリア（２０a）と、機能メニューや選択キーボタンなどを表示するソフトキーエリア（２０b）とにて構成されている。
【００２３】
図３は、図１に示した履歴情報管理装置（３０）にて格納される情報の一例を示す図である。
【００２４】
また、図４は、図１に示した登録情報管理装置（４０）にて格納される情報の一例を示す図である。
【００２５】
図３に示すように、履歴情報管理装置（３０）は、履歴情報（３１）および組み合わせ機能情報（３２）を格納しており、また、図４に示すように、登録情報管理装置（４０）は、登録情報（４１）を格納している。
【００２６】
履歴情報（３１）は、「機能ID」、「タイトル」、「起動機能メニュー場所」、「登録ID」、「最新使用日時」、「使用回数」、で構成され、図３に示す。
【００２７】
組み合わせ情報（３２）は、「組み合わせID」、「機能ID」、「次に使用した機能ID」「最新使用日時」、「使用回数」で構成され、図３に示す。
【００２８】
登録情報（４１）は、「登録ID」、「タイトル」、「起動機能メニュー場所」、「登録日時」、「最新使用日時」、「使用回数」にて構成され、図４に示す。
［実施例の動作の説明］
以下、本実施例の動作につき説明する。
【００２９】
図５は、図１に示した簡易機能起動システムの動作を示すフロー図である。
【００３０】
携帯端末装置（１０）によるユーザが使用したい機能を登録する動作について、図５を用いて説明する。
【００３１】
ユーザが機能をメニューツリー画面や機能を起動した後、ソフトキーなどから機能メニューなど選択し、呼び出したい機能を登録する（ステップＡ１）。
【００３２】
次に、履歴情報管理装置（３０）の履歴情報（３１）に「機能ID」、「タイトル」、「起動機能メニュー場所」、「登録ID」、「最新使用日時」、「使用回数」を登録する（ステップＡ２）。
【００３３】
また、履歴情報管理装置（３０）の組み合わせ情報（３２）に、「組み合わせID」、「機能ID」、「次に使用した機能ID」「最新使用日時」、「使用回数」を登録する（ステップＡ３）。
【００３４】
その後、ユーザが、ある一定回数機能を立ち上げると（Ａ４）、登録情報管理装置（４０）の登録情報（４１）に、「登録ID」、「タイトル」、「起動機能メニュー場所」、「登録日時」、「最新使用日時」、「使用回数」を登録する（ステップＡ５）。
【００３５】
登録情報（４１）から機能メニューの一覧を順番については、使用回数から優先順位をつけ表示を行う（ステップＡ６）。
【００３６】
また、ユーザが使用していない機能があり、現在時刻から、「最新使用日時」を比較し、ある一定時間が経過した場合（ステップＡ７）、登録情報（４１）からその機能情報を削除する（ステップＡ８）。その後、ユーザの使用頻度を元にメニュー構成を更新する（ステップＡ９）。
【００３７】
図６は、図１に示した情報表示装置（２０）に表示される画面の一例を示す図であって、ユーザが次に使用するであろう機能を表示する例を示す図である。
【００３８】
また、ユーザが新たなメニュー構成から機能を使用した後、組み合わせ情報（３２）を元に、一番使用頻度が高い機能をソフトキーに表示させる。たとえば、図６のように、新規メールを選択した際に、「カメラ」をソフトキーに表示させる。
【００３９】
以上説明したように、本発明による簡易機能起動システムは、ユーザが機能を起動する際に、起動した回数を参照し、その回数が一定回数を超えた場合、機能をメニュー一覧へ自動登録し、独自のメニューを自動作成する。
【００４０】
また、ユーザが機能を起動した時間からある程度時間たっても機能を使用していない場合、追加したユーザの機能が自動削除され、ユーザ使用頻度を元にしたメニュー一覧を作成する。
【００４１】
さらにユーザの機能を使用した組み合わせ（たとえば、メールを使用した後にカメラを使用、音楽プレイヤーを使用した後にＷＥＢを使用）も履歴情報として覚えておき、ユーザがある機能を起動した際に、ユーザが使うであろう機能を表示させ、ユーザの選択手順を削減することを特徴としている。
【実施例２】
【００４２】
実施例１では、登録情報管理装置（４０）の登録情報（４１）内から、その中から「使用回数」を元に優先順位をつけるが、本発明はこれに限られるものではなく、「使用回数」の代わりに「最新使用日時」を元に優先順位をつけることも可能であり、優先表示を行う項目をユーザが選択可能とし、ユーザ頻度順を組み合わせ、優先順位を決定することができる。
【図面の簡単な説明】
【００４３】
【図１】本発明の簡易機能起動システムの一実施の形態の構成を示すブロック図である。
【図２】図１に示した情報表示装置（２０）に表示される画面の一例を示す図である。
【図３】図１に示した履歴情報管理装置（３０）にて格納される情報の一例を示す図である。
【図４】図１に示した登録情報管理装置（４０）にて格納される情報の一例を示す図である。
【図５】図１に示した簡易機能起動システムの動作を示すフロー図である。
【図６】図１に示した情報表示装置（２０）に表示される画面の一例を示す図であって、ユーザが次に使用するであろう機能を表示する例を示す図である。
【符号の説明】
【００４４】
１０  携帯端末装置
２０  情報表示装置
３０  履歴情報管理装置
４０  登録情報管理装置
【図１】
2009211507.tif 000003
【図２】
2009211507.tif 000004
【図３】
2009211507.tif 000005
【図４】
2009211507.tif 000006
【図５】
2009211507.tif 000007
【図６】
2009211507.tif 000008